(57)【要約】【課題】レバー支持ブラケット及び舌片差込み部の剛性を高めることができ、またレバー支持ブラケット及び舌片差込み部のレイアウトを比較的簡単に決めることができ、さらに部品点数を減らすことができる小型水上艇のレバー支持ブラケット構造を提供する。【解決手段】レバー支持ブラケット構造３０は、リバースバケット２１をリバース操作レバー３４により操作できるようにし、リバース操作レバー３４をシート２３の前端付近に配置するとともに、レバー支持ブラケット３０により艇体１１に揺動可能に取り付け、レバー支持ブラケット３０にシート２３の前端５０の舌片部５１を差し込むことのできる舌片差込み部５５を一体形成したものである。【選択図】　　　　図３
2004098909.tif 000002
【特許請求の範囲】
【請求項１】
デッキ上にシートを載せ、デッキ下方にエンジンを配置し、このエンジンの後方にジェット推進機を配置し、このジェット推進機の後方にジェット水の噴射方向を定めるステアリングノズルを配置し、このステアリングノズルの後方にジェット水を前方に案内するリバースバケットを配意し、このリバースバケットを操作レバーにより操作できるようにした小型水上艇において、
前記操作レバーを前記シートの前端付近に配置するとともに、レバー支持ブラケットによりデッキに揺動可能に取り付け、
このレバー支持ブラケットに前記シートの前端の舌片部を差し込むことのできる舌片差込み部を一体形成したことを特徴とする小型水上艇のレバー支持ブラケット構造。
【発明の詳細な説明】
【０００１】
【発明の属する技術分野】
本発明は、シートの前端を支えることができ、さらにリバースバケットの操作レバーを支えることができる小型水上艇のレバー支持ブラケット構造に関する。
【０００２】
【従来の技術】
海面や湖面を滑走する小型艇として小型水上艇が知られている。（例えば、特許文献１参照。）。
【０００３】
【特許文献１】
特開平９―２８１１３２号公報（第２頁、図１）
【０００４】
以上の特許文献１に示す小型水上艇の一例を以下に説明する。
この小型水上艇は、艇体内にエンジンとエンジンで駆動するジェット推進機とを備え、ジェット推進機の後端にステアリングノズルを備える。小型水上艇によれば、エンジンでジェット推進機を駆動することにより、ウォータジェット推進機のインペラを回転し、インペラの回転で艇底の吸込口から水を吸い込む。
この吸い込んだ水をステアリングノズルの後端から後方に向けてジェット水として噴射することにより、ジェット水の噴射力で小型水上艇を滑走させることができる。
【０００５】
小型水上艇は、艇体を後進させるためにリバースバケットを備えている。リバースバケットをステアリングノズルの後方に移動することで、ステアリングノズルから噴射したジェット水をリバースバケットで前方に案内することができる。これにより、ジェット水を艇体の前方に向けて噴射させることができ、艇体を後進させることができる。
【０００６】
このリバースバケットにはリバース操作ケーブルを介して操作レバーを連結し、操作レバーをシートの前端近傍にレバー支持ブラケットで揺動可能に取り付けている。
操作レバーをシートの前端近傍に取り付けることで、操縦者は操作レバーを自然な姿勢で操作することができる。
【０００７】
一方、操作レバーの後方に設けたシートは、前端に舌片部を備え、かつ後端にロック手段を備える。舌片を艇体の舌片差込み部に差し込むとともに、ロック手段を艇体に係止することでシートを艇体に取り付けることができる。
【０００８】
ここで、操作レバーをリバースバケットを操作するレバーであり、操作レバーを支えるレバー支持ブラケットには比較的大きな操作力がかかる。このため、レバー支持ブラケットの剛性をある程度高く設定する必要がある。
また、シートを艇体に強固に固定するためには、シート前端の舌片部を差し込む舌片差込み部の剛性をある程度高く設定する必要がある。
【０００９】
【発明が解決しようとする課題】
しかし、レバー支持ブラケットや舌片差込み部の剛性を高めるためには、それぞれの部材が大型になってしまう。さらに、レバー支持ブラケットと舌片差込み部とを隣接位置に取り付ける必要があるので、レバー支持ブラケットと舌片差込み部とを配置するスペースを確保することは難しい。
【００１０】
このため、レバー支持ブラケットと舌片差込み部とを配置するスペースを確保するために、艇体内に配置する部材のレイアウトを決める際に、制約が多くなり設計の自由度を高めにくい。
加えて、レバー支持ブラケットと舌片差込み部との二部材を必要とするため、部品点数が多くなり、そのことがコスト低減を図る妨げになる。
【００１１】
そこで、本発明の目的は、レバー支持ブラケット及び舌片差込み部の剛性を高めることができ、またレバー支持ブラケット及び舌片差込み部のレイアウトを比較的簡単に決めることができ、さらに部品点数を減らすことができる小型水上艇のレバー支持ブラケット構造を提供することにある。
【００１２】
【課題を解決するための手段】
上記目的を達成するために請求項１は、デッキ上にシートを載せ、デッキ下方にエンジンを配置し、このエンジンの後方にジェット推進機を配置し、このジェット推進機の後方にジェット水の噴射方向を定めるステアリングノズルを配置し、このステアリングノズルの後方にジェット水を前方に案内するリバースバケットを配意し、このリバースバケットを操作レバーにより操作できるようにした小型水上艇において、前記操作レバーを前記シートの前端付近に配置するとともに、レバー支持ブラケットによりデッキに揺動可能に取り付け、このレバー支持ブラケットに前記シートの前端の舌片部を差し込むことのできる舌片差込み部を一体形成したことを特徴とする。
【００１３】
操作レバーを取り付けるレバー支持ブラケットに舌片差込み部を一体形成した。よって、レバー支持ブラケットに、操作レバーを取り付けることができるとともに、シートの前端の舌片部を差し込むことができる。
このように、操作レバーを取り付ける部材と、舌片部を差し込む部材とをレバー支持ブラケットの一部材にまとめることで、レバー支持ブラケットの剛性を高めることができる。
【００１４】
また、操作レバーを取り付ける部材と、舌片部を差し込む部材とをレバー支持ブラケットの一部材にまとめることで、部材のコンパクト化を図ることができる。よって、レバー支持ブラケットのレイアウトを比較的簡単に決めることができる。
加えて、操作レバーを取り付ける部材と、舌片部を差し込む部材とをレバー支持ブラケットの一部材にまとめることで、部品点数を減らすことができる。
【００１５】
【発明の実施の形態】
本発明の実施の形態を添付図に基づいて以下に説明する。ここで、「前」、「後」、「左」、「右」は運転者から見た方向に従う。なお、図面は符号の向きに見るものとする。
図１は本発明に係るレバー支持ブラケット構造を備えた小型水上艇を示す側面図である。
小型水上艇１０は、艇体１１の前部１２に燃料タンク１３を設け、この燃料タンク１３の後方にエンジン１４を設け、このエンジン１４の後方の艇尾１５にジェット推進機室１６を設け、このジェット推進機室１６にウォータジェット推進機（ジェット推進機）１７を設け、このウォータジェット推進機１７の後方にステアリングノズル１８を設け、ステアリングノズル１８を左右にスイングする操舵ハンドル１９を燃料タンク１３の上方に設け、ステアリングノズル１８の後方にリバースバケット２１を設け、このリバースバケット２１を上下にスイングするリバース操作レバー（操作レバー）３４を操舵ハンドル１９後方に設け、このリバース操作レバー３４の後方に前後に延びるシート２３を設けたものである。
【００１６】
ウォータジェット推進機１７は、艇体１１の艇底２４に吸込口２５を形成し、この吸込口２５をウォータジェット推進機室１６まで延ばし、ジェット推進機室１６の壁部２６に円筒状のステータ２７を設け、このステータ２７内にインペラ２８を回転自在に配置し、このインペラ２８のシャフト２９に駆動シャフト１４ａを連結したものである。
【００１７】
小型水上艇１０によれば、エンジン１４で駆動シャフト１４ａを回転することによりインペラ２８を回転することができる。インペラ２８が回転することにより、吸込口２５から水を吸い込んで、ステータ２７内に導くことができる。
導いた水をステータ２７の後端から水ジェットとして後方に向けて噴射することにより、小型水上艇１０を滑走させることができる。
【００１８】
図２は本発明に係るレバー支持ブラケット構造を備えた小型水上艇を示す分解側面図である。
艇体１１の操舵ハンドル１９近傍に、レバー支持ブラケット構造３０を構成するレバー支持ブラケット３１をボルト３２・・・で取り付け、このレバー支持ブラケット３１に取付けボルト３３でリバース操作レバー３４を揺動自在に取り付ける。
リバース操作レバー３４にはジョイント３５を介して操作ケーブル３６の前端３６ａを連結し、後端３６ｂをスイングレバー３７に連結する。
【００１９】
スイングレバー３７を支持プレート３８に支軸３９で揺動自在に取り付ける。また、支持プレート３８にリバースバケット２１を支軸４１で揺動自在に取り付ける。さらに、リバースバケット２１の前端突起４２をスイングレバー３７の摺動溝４３に摺動ボルト４４で連結する。
【００２０】
リバース操作レバー３４のグリップ部４５を操縦者が握って、リバース操作レバー３４を上方に引き上げることにより、操作ケーブル３６でスイングレバー３７を支軸３９を軸に矢印方向に揺動させる。
スイングレバー３７が揺動することにより、リバースバケット２１が支軸４１を軸に矢印の方向に揺動する。これにより、リバースバケット２１をステアリングノズル１８後方の後進位置に配置することができる。
リバースバケット２１を後進位置に配置することで、ステアリングノズル１８から噴射したジェット水を前方に案内することができる。これにより、小型水上艇１０を後進させることができる。
【００２１】
一方、シート２３は、前端５０に舌片部５１を備え、かつ後端５２にロック部５３を備える。舌片部５１を、レバー支持ブラケット構造３０の舌片差込み部５５（図３も参照）に矢印の如く差し込むとともに、ロック部５３を艇体１１の被ロック部５７に係止することでシート２３を艇体１１に取り付けることができる。
なお、舌片差込み部５５はレバー支持ブラケット３１に一体形成したものである。
【００２２】
図３は本発明に係る小型水上艇のレバー支持ブラケット構造を示す斜視図である。
小型水上艇１０のレバー支持ブラケット構造３０は、リバース操作レバー３４をシート２３の前端付近に配置するとともに（図１参照）、リバース操作レバー３４をレバー支持ブラケット３１で艇体１１（デッキ）に揺動可能に取り付け、このレバー支持ブラケット３１にシート２１の前端５０の舌片部５１を差し込むことのできる舌片差込み部５５を一体形成したものである。
【００２３】
レバー支持ブラケット３１は、ベース部６０と、このベース部６０から上方に立ち上げた鉛直支持部６１とを備え、一例として樹脂で一体成型した部材である。
ベース部６０は、前後端にそれぞれ前後の脚部６２，６３を備え、前脚部６２の左右端にそれぞれ左右の前取付孔６４，６４（右側の取付孔は図示しない）を形成するとともに、後脚部６３の左右端にそれぞれ左右の後取付孔６５，６５を形成したものである。
【００２４】
左右の前取付孔６４，６４及び左右の後取付孔６５，６５にボルト６６・・・を差し込み、差し込んだボルト６６・・・を艇体１１にねじ込むことにより、レバー支持ブラケット３１を艇体１１に取り付けることができる。
【００２５】
このように、ベース部６０をボルト６６・・・で艇体１１に取り付けることにより、ベース部６０と艇体１１とで舌片差込み部５５を形成することができる。
すなわち、舌片差込み部５５は、ベース部６０の後脚部６３の左右の内面でそれぞれ左右の内壁６７，６８を形成し、後脚部６３の上面で天井面６９を形成し、艇体１１のうちの天井面６９に対向する部位で床面７０を形成することで、左右の内面６７，６８、天井面６９及び床面７０で舌片部５１を受け入れる受部を形成するとともに、舌片部５１を差し込む開口部５６を形成したものである。
この舌片差込み部５５によれば、シート２３前端５０の舌片部５１を開口部５６から舌片差込み部５５内に矢印の如く差し込むことができる。
【００２６】
鉛直支持部６１は、ベース部６０の前脚部６２から後脚部６３に亘って前後方向に延ばした部材で、後端７２に取付けボルト３３でリバース操作レバー３４の後端３４ａを回転自在に取り付け、前端７３に取り付けたスライドロッド７４をリバース操作レバー３４のスライド溝７５にスライド自在に差し込ませたものである。
【００２７】
リバース操作レバー３４は、略く字形に形成した部材であり、後端３４ａの円板部を取付けボルト３３で鉛直支持部６１の後端７２に回転自在に取り付け、前部３４ｂに湾曲状のスライド溝７５を形成し、このスライド溝７５にスライドロッド７４をスライド自在に配置し、上端３４ｃにグリップ４５を備える。
さらに、リバース操作レバー３４は、中央部３４ｄにボルト７６でジョイント３５を取り付け、ジョイント３５に操作ケーブル３６を連結したものである。
【００２８】
グリップ４５を掴んで上方に引き上げることにより、リバース操作レバー３４を取付けボルト３３を軸にして上方に揺動させる。このとき、スライド溝７５がスライドロッド７４に沿って移動する。
このように、リバース操作レバー３４を取付けボルト３３を軸にして上方に揺動させることにより、ボルト７６及びジョイント３５が上方に移動して、操作ケーブル３６を上方に引き上げることができる。
【００２９】
小型水上艇１０のレバー支持ブラケット構造３０によれば、リバース操作レバー３４を取り付けるレバー支持ブラケット３１に舌片差込み部５５を一体形成することで、レバー支持ブラケット３１に、リバース操作レバー３４を取り付けることができるとともに、シート２３の前端５０の舌片部５１を差し込むことができる。
リバース操作レバー３４を取り付ける部材と、舌片部５１を差し込む部材とをレバー支持ブラケット３１の一部材にまとめることで、レバー支持ブラケット３１の剛性を高めることができる。
【００３０】
また、リバース操作レバー３４を取り付ける部材と、舌片部５１を差し込む部材とをレバー支持ブラケット３１の一部材にまとめることで、部材のコンパクトを図ることができる。よって、レバー支持ブラケット３１のレイアウトを比較的簡単に決めることができるので、設計の自由度を高めることができる。
加えて、リバース操作レバー３４を取り付ける部材と、舌片部５１を差し込む部材とをレバー支持ブラケット３１の一部材にまとめることで、部品点数を減らすことができ、コスト低減を図ることができる。
【００３１】
図４は本発明に係る小型水上艇のレバー支持ブラケット構造を示す側面図である。
レバー支持ブラケット構造３０のレバー支持ブラケット３１をボルト６６・・・で艇体１１に取り付け、鉛直支持部６１の後端７２にリバース操作レバー３４の後端３４ａを取付けボルト３３で回転自在に取り付け、リバース操作レバー３４のスライド溝５にスライドロッド７４をスライド自在に差し込ませ、リバース操作レバー３４の中央部３４ｃにボルト７６でジョイント３５を取り付け、ジョイント３５に操作ケーブル３６を連結し、舌片差込み部５５にシート２３前端５０の舌片部５１を差し込む。
【００３２】
これにより、レバー支持ブラケット３１にリバース操作レバー３４を揺動自在に取り付けることがき、かつレバー支持ブラケット３１の舌片差込み部５５にシート２３の前端５０の舌片部５１を差し込むことができる。
なお、７９は固定ブラケットであり、固定ブラケット７９で操作ケーブルを保持することができる。
【００３３】
図５は本発明に係るレバー支持ブラケット構造の舌片差込み部と舌片部との関係を示す側面図である。
レバー支持ブラケット３１の舌片差込み部５５は、左内壁６７から右内壁６８までの幅が開口部５６でＷ１、前端部７８でＷ２となるように開口部５６から前端部７８に向けて漸次幅狭になるようにテーパ状に形成するとともに、床面７０から天井面６９までの高さがＨ１となるように形成したものである。
【００３４】
一方、シート２３前端５０（図３参照）の舌片部５１は、略台形状に形成した部材であり、左側壁８０から右側壁８１までの幅が基端部８２でＷ３、先端部８３でＷ４となるように基端部８２から先端部８３に向けて漸次幅狭になるようにテーパ状に形成するとともに、下面８４から上面８５までの高さがＨ２となるように形成したものである。
【００３５】
開口部５６の幅Ｗ１を基端部８２の幅Ｗ３より僅かに大きく形成し、前端部７８の幅Ｗ２を先端部８３の幅Ｗ４より僅かに大きく形成した。また、床面７０から天井面６９までの高さＨ１を下面８４から上面８５までの高さＨ２より僅かに大きく形成した。
これにより、舌片差込み部５５に舌片部５１を差し込んだ際に、舌片差込み部５５で舌片部５１を確実に保持することができるので、図１に示すようにシート２３を艇体１１に好適に取り付けることができる。
【００３６】
なお、前記実施形態では、レバー支持ブラケット３１を樹脂で一体成型した例を説明したが、これに限らないで、その他の材質で形成することも可能である。
さらに、レバー支持ブラケット３１の形状は、一例を示したものであり、例示した形状に限定するものではない。
【００３７】
【発明の効果】
本発明は上記構成により次の効果を発揮する。
請求項１は、操作レバーを取り付けるレバー支持ブラケットに舌片差込み部を一体形成した。よって、レバー支持ブラケットに、操作レバーを取り付けることができるとともに、シートの前端の舌片部を差し込むことができる。
【００３８】
このように、操作レバーを取り付ける部材と、舌片部を差し込む部材とをレバー支持ブラケットの一部材にまとめることで、レバー支持ブラケットの剛性を高めることができる。
したがって、レバー支持ブラケットで操作レバー及びシートの前部を確実に支えることができる。
【００３９】
また、操作レバーを取り付ける部材と、舌片部を差し込む部材とをレバー支持ブラケットの一部材にまとめることで、部材のコンパクト化を図ることができる。よって、レバー支持ブラケットのレイアウトを比較的簡単に決めることができるので、設計の自由度を高めることができる。
【００４０】
加えて、操作レバーを取り付ける部材と、舌片部を差し込む部材とをレバー支持ブラケットの一部材にまとめることで、部品点数を減らすことができ、コスト低減を図ることができる。
【図面の簡単な説明】
【図１】本発明に係るレバー支持ブラケット構造を備えた小型水上艇を示す側面図
【図２】本発明に係るレバー支持ブラケット構造を備えた小型水上艇を示す分解側面図
【図３】本発明に係る小型水上艇のレバー支持ブラケット構造を示す斜視図
【図４】本発明に係る小型水上艇のレバー支持ブラケット構造を示す側面図
【図５】本発明に係るレバー支持ブラケット構造の舌片差込み部と舌片部との関係を示す側面図
【符号の説明】
１０…小型水上艇、１１…艇体（デッキ）、１４…エンジン、１７…ウォータジェット推進機（ジェット推進機）、１８…ステアリングノズル、２１…リバースバケット、３４…リバース操作リバー（操作レバー）、２３…シート、３０…小型水上艇のレバー支持ブラケット構造、３１…レバー支持ブラケット、５０…シートの前端、５１…舌片部、５５…舌片差込み部。
【図１】
2004098909.tif 000003
【図２】
2004098909.tif 000004
【図３】
2004098909.tif 000005
【図４】
2004098909.tif 000006
【図５】
2004098909.tif 000007